(57)【要約】【課題】  膝用サポーターを膝に装着した場合、大腿部や脛およびふくらはぎ部から膝用サポーターの上端部や下端部が膝の方へずれないように改良して装着した脚に障害を与えない膝用サポーターを提供する。【解決手段】  伸縮性の繊維から編んだ筒状の編地から膝用サポーター１を形成し、この膝用サポーター１には、その編地内面の膝３の両側部の位置にループ状支持部材７を固着して設け、このループ状支持部材７のループ上部８を大腿部４の両側部に、かつ、ループ下部９を脛５およびふくらはぎ部６の両側部にそれぞれ達する大きさの１個のループ状支持部材７を配設し、ずれ防止を図っている。【選択図】      図３
2009000277.tif 000002
【特許請求の範囲】
【請求項１】
伸縮性の繊維の編地からなる筒状の膝用サポーターの編地内面の膝の両側部に、ループ上部が大腿部両側部に達し、かつ、ループ下部が脛およびふくらはぎ部の両側部に達するそれぞれ１個のループ状支持部材を固着して配設していることを特徴とするずれ防止を図った膝用サポーター。
【請求項２】
ループ状支持部材はポリアミド、ポリエステルなどのプラスチックコードあるいは鋼線コードからなる弾性を有する部材であることを特徴とする請求項１に記載のずれ防止を図った膝用サポーター。
【請求項３】
ループ状支持部材は大腿部に達するループ上部の形状がマッシュルームの傘部の断面形状からなり、脛およびふくらはぎ部の両側部に達するループ下部の形状がマッシュルームの柄の断面形状からなっていることを特徴とする請求項１または２に記載のずれ防止を図った膝用サポーター。
【発明の詳細な説明】
【技術分野】
【０００１】
本発明は膝用サポーターに関し、特に歩行時や運動時の膝の動きによって大腿部や脛およびふくらはぎの装着部分が膝の方へズレてくることを防止した膝用サポーターに関する。
【背景技術】
【０００２】
現在、一般的に広く使用されている膝用サポーター１は、図５に示すように、脚２の膝３の上の大腿部４の部分から膝３の下の脛５およびふくらはぎ部６の部分に装着され、大腿四頭筋や大腿二頭筋などの筋肉や関節を痛めた場合に、その筋肉や関節の補整用として用いられている。ところで、この膝用サポーター１は、装着箇所の脚２の部分を周囲から十分に保持するように、その生地は伸縮性を有する編地の筒状体からなっている。一方、人の脚２は膝３から大腿部４の上部へ移行するに連れて太くなり、その周囲の長さすなわち径が大きくなっている。また、膝３の下側も膝３の直下は細く、さらに下方のふくらはぎ部６の側は太くなっている。しかも、脚２は膝３の部分で頻繁に屈伸される。このために、膝３の上下に延ばして脚２に装着した膝用サポーター１は、膝３の屈伸の際、例えば、膝３を曲げると膝用サポーター１の膝３より上の上端部１ａの部分が下方に下がって膝３の方へずれ下がり、一方、膝３より下の下端部１ｂの部分が上方に上がって膝３の方へずれあがる。次いで膝３を延ばした際に、図６に示すように、膝用サポーター１の上端部１ａおよび下端端部１ｂは、それぞれずれたままの位置に留まるので、膝用サポーター１には横しわが入って上下の長さが縮むこととなる。このように上端部１ａおよび下端部１ｂがずれて縮んだままになり、装着当初の元の長さに戻ることがない場合は、膝用サポーター１としての補整の効用が十分に得られなくなる。
【０００３】
さらに、上記の図６に示すように、膝用サポーター１の上端部１ａおよび下端端部１ｂのずれ下がりやずれ上がりが生じると、膝３の周囲の部分か折り重なった状態となって不快になり、度々ずれた膝サポーター１の上端部１ａおよび下端端部１ｂを定位置まで引き上げたり、引き下ろしたりしなければならす、不便であった。そこで、従来の膝用サポーター１には、このようなずれを防止するために、サポーター用の生地の滑り落ちを生じる部分の内面に粘着性のシリコーン樹脂を塗布し、その粘着力により滑り止めとしているものがある。しかし、この滑り止めによる膝用サポーター１は、粘着性のシリコーン樹脂により皮膚に炎症を起こしたりすることがあり、使用上の問題があった。
【０００４】
従来のサポーターとしては、ゴムなどによる滑止部材を内部に環状に有する収縮サポーターが提案されている（例えば、特許文献１参照。）。さらに、膝当てを上部をズボンのベルトに吊り下げ、下部を足首に短固定ベルトで固定してずれを防止したサポーターである膝当て健康器が提案されている（例えば、特許文献２参照。）。また、可撓性棒状体を膝頭の両サイドに配してずれ防止を図った膝用サポーターが提案されている（例えば、特許文献３参照。）。さらにまた、膝の上下のサポーターの端部に環状に係止部のバンドを入れてずれ防止下サポーターが提案されている（例えば、特許文献４参照。）。さらに、サポーターの上下間の適所の数箇所に環状の滑止帯部を入れた膝などの展伸部用サポーターが提案されている（例えば、特許文献５参照。）。しかし、これらは膝上の大腿部の部分から膝下のふくらはぎの部分までに位置する十分な長さからなる膝用サポーターには、そのサポートする範囲が短かったり、あるいは、ズボンのベルトに吊るなどし、独立してサポートできないなど、満足してずれを防止できるものではなかった。出願人は、膝用サポーターとして生地を二重にしたものを提案している（例えば、特許文献６参照。）。しかし、これはずれ防止というよりも粒状のシリコーン樹脂や磁石の突起物を生地の間に入れて身体に刺激を与えて、筋肉や関節の痛みを緩和する狙いのものである。
【０００５】
【特許文献１】特開２００４−３０５５４０号公報
【特許文献２】特開平１０−２０４７０８号公報
【特許文献３】実用新案登録第３０７６５０２号公報
【特許文献４】実用新案登録第３０１８９８８号公報
【特許文献５】実用新案登録第３０６０５９１号公報
【特許文献６】実用新案登録第３１１５６００号公報
【発明の開示】
【発明が解決しようとする課題】
【０００６】
従来の膝用サポーター１を膝３およびその上下の大腿部４や脛５およびふくらはぎ部６の部分に装着した場合、図６に示すように、脚２の運動による膝３の屈伸による膝３およびその上下の大腿部４や脛５およびふくらはぎ部６の筋肉の伸縮縮方向３ｂに連れて膝用サポーター１の上端部１ａおよび下端部１ｂは、径の細い膝３の側へ徐々に移動して行き、大腿部４や脛５およびふくらはぎ部６の筋肉の伸縮方向３ｂと膝用サポーター１の伸縮方向１ｃとの間にずれが生じる。すなわち、筋肉は膝３の屈伸に連れて伸縮を繰返しうるが、膝用サポーター１は、膝３を曲げて生じた膝用サポーター１の収縮による上端部１ａおよび下端部１ｂの膝３の方向へのずれは、膝３を延ばしても元に戻ることなく、縮んだままの状態の図６の矢印で示す膝用サポーターの伸縮方向１ｃである。そこで、この膝３の屈伸が繰り返されると、膝用サポーター１はその上端部１ａおよび下端部１ｂが膝３の側へずれ、大腿部４や脛５およびふくらはぎ部６の本来の正しい位置に膝用サポーター１の上端部１ａおよび下端部１ｂが装着されていない状態となり、膝用サポーター１を装着した意義が損なわれてしまうこととなる。
【０００７】
そこで、本発明が解決しようとする課題は、いったん膝用サポーター１を膝３およびその上下の大腿部４や脛５およびふくらはぎ部６の部分に装着した場合、膝３の上部の大腿部４および膝３の下部の脛５およびふくらはぎ部６の部分から膝用サポーター１の上端部１ａおよび下端部１ｂが膝３の方へずれないように、膝用サポーター１の構造を改良し、しかも膝３の屈伸に違和感を伴うことなく装着でき、かつ、装着した脚２の部分に障害を与えることのない膝用サポーター１を提供することである。
【課題を解決するための手段】
【０００８】
上記の課題を解決するための本発明の手段について説明する。先ず、請求項１の発明では、伸縮性の繊維から編んだ筒状の編地から膝用サポーター１を形成する。さらに、この伸縮性の繊維の編地からなる筒状の膝用サポーター１には、その編地内面の膝３の両側部の位置にループ状支持部材７を固着して設けている。しかも、このループ状支持部材７は、そのループ上部８が大腿部４の両側部に、かつ、ループ下部９が脛５およびふくらはぎ部６の両側部にそれぞれ達する大きさのそれぞれ１個のループ状支持部材７が配設されている。すなわち、これらの構造を特徴とするずれ防止を図った膝用サポーター１である。
【０００９】
請求項２の発明では、上記のループ状支持部材７はその部材がポリアミド、ポリエステルなどのプラスチックコードあるいは鋼線コードからなる弾性を有する部材から形成されている。すなわち、これらの構造を特徴とする請求項１の手段におけるずれ防止を図った膝用サポーター１である。
【００１０】
請求項３の発明では、上記のループ状支持部材７は大腿部４に達するループ上部８の形状がマッシュルームの傘部の断面形状からなり、脛５およびふくらはぎ部６の両側部に達するループ下部９の形状がマッシュルームの柄の断面形状からなっている。すなわち、これらの形状の構造を特徴とする請求項１または２の手段におけるずれ防止を図った膝用サポーター１である。
【発明の効果】
【００１１】
本発明は上記の手段とすることで、膝用サポーターを膝およびその上下に装着したとき、膝用サポーターの大腿部に達する上端部および脛およびふくらはぎ部に達する下端部が膝用サポーターに設けられているループ状支持部材により常に支持されているので、膝の屈伸に伴って膝用サポーターの上端部および下端部がそれぞれ膝の方へずれることが防止されるので、膝用サポーターの筋肉や関節の補整用としての機能が損なわれることなく十分にその機能を発揮され得る。
【００１２】
さらに、ループ状支持部材をプラスチックコードや鋼線コードなどの弾性を有する部材から形成しているので、ループ状支持部材は膝の屈折に連れて曲がっても膝を延ばすと元の状態に戻ることができる。
【００１３】
さらに、ループ状支持部材の上端部はマッシュルームの傘状に拡がったゆるやかな曲面を有して膝用サポーターの上端部に配設されており、また下端部はマッシュルームの柄のように丸みを有して膝用サポーターの上端部に配設されているので、膝用サポーターの上端部の編地は幅広い範囲で支持されることで支持力が分散され、さらに膝用サポーターの下端部の編地も柄の先端の丸みの部分で支持されることで支持力が分散され、膝用サポーターの上端部や下端部の編地が支持部材で突き破られるようなこともなく、長期に安定してサポートされる。
【００１４】
すなわち、単に棒状の支持部材であれば膝用サポーターの編地を破って上下へ突き抜けて支持力がなくなり、かつ、支持部材の棒の先端が脚に突き刺さる危険があるが、本発明のループ状支持部材では、ループであるので上端部および下端部でも丸みがあるので、上記の棒状の支持部材のような膝用サポーターの編地の突き破りがなく、装着した脚に膝用サポーターが突き刺さることがなく、非常に安全に装着できる。
【発明を実施するための最良の形態】
【００１５】
本発明の実施の形態を図面を参照して説明する。本発明の膝用サポーター１は、従来の製品と同様に、伸縮性の繊維の編地から筒状に形成されている。この伸縮性の繊維の編地からなる筒状の膝用サポーター１は、その編地の内面の膝３の両側部の位置に、図２に示すように、ループ状支持部材７が固着されている。このループ状支持部材７は、弾性を有する金属からなる直径１〜１．５ｍｍの線材あるいは弾性を有する硬質プラスチックからなる直径１〜２ｍｍの線材もしくは弾性を有する硬質プラスチックの幅１〜２ｍｍで厚さ１〜１．５ｍｍの板材からなる、図４に示すように、芯材コード７ａを、ポリアミド繊維やポリエステル繊維からなる径２．５〜４．５ｍｍの被覆筒７ｂに挿通し、さらに、この芯材コード７ａを内在する被覆筒７ｂを、綿やポリエステル繊維やポリアミド繊維やウレタン繊維からなる幅１５〜２０ｍｍ前後の細帯状の布地からなる被覆地７ｃでループの部分を被覆して形成され、図２に示すように、膝用サポーター１の編地の内面の左右の側部に設けられている。
【００１６】
このループ状支持部材７の大きさは、そのループ上部８が膝用サポーター１の上端部１ａの存在する大腿部４の両側部に達する大きさであり、さらにループ下部９が膝用サポーター１の下端部１ｂの存在する脛５およびふくらはぎ部６の両側部に達する大きさであるそれぞれ１個ずつのループ状支持部材７から形成されている。このように、図４の（ａ）に示すループ状支持部材７は、編地の表面側から示す図４の（ｂ）のように、芯材コード７ａが被覆筒７ｂに挿通され、さらに被覆地７ｃで被覆されており、図１や図２と同様に、膝用サポーター１の上端部１ａから下端部１ｂの内面の編地に固着されている。この場合、膝用サポーター１の編地は伸縮性を有するので、編地の内面にループ状支持部材７を設けても、編地は伸縮性を有するので、編地の外面側にループ状支持部材７の形状を凸条に見せて編地で覆い、編地の内面は平面に仕上げられる。この図４の（ｂ）では、芯材コード７ａは断面が円形であるが、この円形に代えて断面を楕円や平板の形状とすれば脚に当接するループの部分が皮膚に一層にやさしく当たる。
【００１７】
さらに、他の実施の形態の膝用サポーター１のループ状支持部材７では、大腿部４に達する膝用サポーター１の上端部１ａにおけるループ状支持部材７のループ上部８の形状が、マッシュルームの傘部の断面形状のようにやや横に拡がって上端部１ａをサポートしており、脛５およびふくらはぎ部６の両側部に達する膝用サポーター１の下端部１ｂにおけるループ状支持部材７のループ下部９の形状が、マッシュルームの柄の先端の断面形状のように丸みのある形状からなっている。図１または図２に示す膝用サポーター１はこの実施の形態の断面マッシュルーム状のループ状支持部材７を有する例である。
【００１８】
さらに、これらのループ状支持部材７において、図３に示すように、ループ状支持部材７の形状を、膝３の側部のループの中央部を膝頭３ａの前方へやや湾曲させ、かつ、この湾曲させた部分のループ状支持部材７の前後の間隔を狭くした狭小部１０とし、ループ上部８を大腿部４の側部へ達し、ループ下部９を脛５およびふくらはぎ部６の側部へ達する形状のループから形成する。このループ状支持部材７の形状とすると、膝３の側部のループ中央部が前方へ湾曲し、かつ、ループ状支持部材７の前後の部材が間隔の狭い状態でいずれも前方へ湾曲しているので、膝用サポーター１を装着しているとき、膝３の屈曲が容易にできる利点を有する。しかも、膝用サポーター１の上端部１ａや下端部１ｂの編地を丸みのあるループ上部８やループ下部９で支持することで、上記のマッシュルーム状の支持部材と同様に、上端部１ａや下端部１ｂの支持力がループ幅の方向に分散される結果、膝用サポーター１の上端部１ａや下端部１ｂの編地がループ状支持部材７で突き破られることもなく長期に安定してサポートされる。
【図面の簡単な説明】
【００１９】
【図１】本発明の膝用サポーターを装着した脚を示す側面図である。
【図２】本発明のループ状支持部材を内面に有する膝用サポーターの立体的透視図である。
【図３】本発明の膝用サポーターのループ状支持部材の機能を説明する側面図である。
【図４】本発明におけるループ状支持部材で、（ａ）はその平面図、（ｂ）はその拡大部分を編地の表面側から示す斜視図である。
【図５】従来の膝用サポーターを装着した脚を示す側面図である。
【図６】脚を屈伸を繰り返した際の従来の膝用サポーターの状態を示す側面図である。
【符号の説明】
【００２０】
１  膝用サポーター
１ａ  上端部
１ｂ  下端部
１ｃ  膝用サポーターの伸縮方向
２  脚
３  膝
３ａ  膝頭
３ｂ  筋肉の伸縮方向
４  大腿部
５  脛
６  ふくらはぎ部
７  ルー部状支持部材
７ａ  芯材コード
７ｂ  被覆筒
７ｃ  被覆地
８  ループ上部
９  ループ下部
１０  狭小部
【図１】
2009000277.tif 000003
【図２】
2009000277.tif 000004
【図３】
2009000277.tif 000005
【図４】
2009000277.tif 000006
【図５】
2009000277.tif 000007
【図６】
2009000277.tif 000008